(57)【特許請求の範囲】
【請求項１】
表面に配送情報記入欄を設けた複数枚の配送票を分離可能に綴じ合わせてなり、最上位の配送票の配送情報記入欄に記入することによって、下位の配送票の対応する配送情報記入欄に複写記入されるよう複写構造を設けた配送伝票であって、貼付票が上位に位置し、貼付票の配送情報記入欄における配送品の価格や送料等の配送受取人に不要な配送関連情報を記入するための配送関連情報記入欄に対応する部分を切り欠いて窓部を形成し、この窓部に、貼付票の下位に重ねられた配送票の配送関連情報記入欄が対応位置するよう構成したことを特徴とする配送伝票。
【請求項２】
貼付票に形成する窓部は、貼付票の下位に重ねられた配送票の綴じ合わされていない端部を、貼付票が被覆する大きさに設定されたことを特徴とする請求項１記載の配送伝票。
【請求項３】
最下位の配送票の下位に貼付台紙を設け、この貼付台紙と最上位の貼付票を綴じ合わせて封筒状に形成し、この中に一端で分離可能に綴じ合わされた配送票の天地方向の長さを、窓部の天地方向の長さよりも短く設定する一方、これら配送票の他端が、貼付票の窓部の幅方向における端部よりの一縁の近傍に位置していることを特徴とする請求項１記載の配送伝票。
【発明の詳細な説明】
【０００１】
【産業上の利用分野】
本発明は、複数枚の配送票を綴じ合わせてなる配送伝票に関し、特に、配送品に貼付される貼付票が上位に位置するとともに、貼付票の配送情報記入欄には、配送品の価格や送料等の配送受取人に不要な情報（以下配送関連情報という）を記入する配送関連情報記入欄が存在しない配送伝票に関する。
【０００２】
【従来の技術】
従来における一般的な配送伝票は、配達票や貼付票等の複数枚の配送票を綴じ合わせるとともに、最上位には控紙を綴じ合わせ、この控紙の配送情報記入欄に記入することによって、下位の配送票の配送情報記入欄に複写記入するよう複写構造を設けていた。そして、配送品に貼着されて、届け先で配送情報記入欄の記入情報を確認する貼付票は控紙の次に位置し、この貼付票には、配送品の価格や送料等の配送関連情報を記入する配送関連情報記入欄を設けない一方、例えば複写構造として、控紙及び各配送票の裏面に、複写が必要な記入欄に対向する部分にのみカーボン層を設けることにより、貼付票には配送関連情報が印字されないよう構成していた。
【０００３】
ところが近時、控紙に印字していた配送情報をコンピュータに入力し、この入力されたデータに基づいて配送作業を管理する配送システムが提案され、事務の合理化と配送伝票のコスト低減化に適していることから徐々に普及してきている。特に、この配送システムは、デパート等での中元商品や歳暮商品の配送のように、大量の商品を一時期に集中して取り扱う配送作業を行う場合に好適なものである。そして、この配送システムで使用する配送伝票は、控紙が不要となるため、貼付票が上位に位置したものとなる。
【０００４】
貼付票が上位に位置した配送伝票にあっては、貼付票に印字した情報を下位に重ねた各配送票に複写記入することになるが、この種配送伝票として従来提案されている構成としては、次のものがある。第１に、貼付票の配送情報記入欄にも配送関連情報記入欄を設ける。第２に、貼付票の配送関連情報記入欄は設けずに、下位の配送票の配送関連情報記入欄に対応するスペースは確保しておき、貼付票にはインパクトプリンタで空打ちして、下位の各配送票の配送関連情報記入欄に複写記入する。第３に、下に重ねた各配送票の端部を貼付票から延出し、この延出部分に配送関連情報記入欄を設けて印字することにより、配達票等の他の配送票に配送関連情報を記入する。
【０００５】
【発明が解決しようとする課題】
しかしながら、第１の手段によると、届け先に配送品の価格等がわかってしまうという不都合があり、また、第２の手段によると、配送関連情報記入欄への印字内容を配送伝票の表面側から確認できないという不都合があり、第３の手段によると、配送票の端部が印字の際にばらついて印字作業が円滑に行われないという不都合がある。本発明は、このような不都合を解消した配送伝票を提供することを目的とするものである。
【０００６】
【課題を解決するための手段】
この目的を達成するために本発明の配送伝票は、貼付票の配送情報記入欄が上位に位置し、配送情報記入欄の配送品の価格や送料等の配送受取人に不要な配送関連情報を記入するための配送関連情報記入欄に対応する部分を切り欠いて窓部を形成し、この窓部に、貼付票の下位に重ねられた配送票の前記配送関連情報記入欄が対応位置するよう構成したものである。
【０００７】
貼付票に形成する窓部は、貼付票の下位に重ねられた配送票の綴じ合わされていない端部を、貼付票が被覆する大きさに設定し、前記端部がばらつかないように構成すると好適である。
【０００８】
貼付票は貼付台紙と綴じ合わせて封筒状とし、この中に一端で分離可能に綴じ合わせた配送票の天地方向の長さを、窓部の天地方向の長さよりも短く設定する一方、これら配送票の他端が、貼付票の窓部の幅方向における端部よりの一縁の近傍に位置させ、切り離した各配送票を窓部から容易に引き出せるように構成すると好適である。
【０００９】
【作用】
上位に位置する貼付票の配送情報記入欄における配送関連情報記入欄に対応する部分を切り欠いて窓部を形成したので、配送情報のうち、配送品の価格や送料等の配送受取人に不要な配送関連情報は、前記窓部に対応位置する貼付票の下位に重ねられた配送票の配送関連情報記入欄に印字され、前記貼付票に印字された他の配送情報とともに、下位の各配送票に複写記入され、前記貼付票は配送品に貼付される一方、他の配送票は配送作業において適時分離して使用される。
【００１０】
【実施例】
以下、本発明をデパート等からの商品の配送に使用する配送伝票に適用した場合の好適な実施例を添付図面に基づいて詳細に説明する。ここにおいて、図１は配送伝票の概略的な平面図、図２はそのＡ−Ａ線端面図、図３は同じくＢ−Ｂ線端面図、図４は配送情報を印字後に抜き取った配達票の概略的な平面図、図５は他の実施例を示す配送伝票の概略的な平面図である。
【００１１】
図１〜図３に示すように、配送伝票１は４周縁を糊２ａ，２ｂ，２ｃ，２ｄで綴じ合わせた貼付票３ａと貼付台紙３ｂからなる封筒体３の中に、上位から配達票４、配送ターミナル控票５、中継ターミナル控票６、受領票７が、糊２ａ側端で糊８ａ，８ｂ，８ｃにより綴じ合わされてなり、最下位の受領票７は、貼付台紙３ｂに糊８ｄで綴じ合わされている。そして、各票４，５，６，７は、天地方向の長さが前記貼付票３ａよりは短く設定され、また、各糊８ａ，８ｂ，８ｃ，８ｄによる綴じ合わせ部分の内側には、切り用ミシン目９ａ，９ｂ，９ｃ，９ｄがそれぞれ設けられて、分離可能に構成されている。また、貼付台紙３ｂの裏面には、粘着剤１０を塗布して剥離紙１１で被覆し、この剥離紙１１には剥離動作を容易にするためにスリット１２を設けている。
【００１２】
図示してはいないが、配送伝票１は切り用ミシン目を介して天地方向に多数連接された連続状態にあり、貼付票３ａの幅方向両側の糊２ａ，２ｂによる綴じ合わせ部分の外側には、等間隔に多数のマージナル孔１３ａ，１３ｂを透設したマージナル部を設けている。そして、前記貼付票３ａには、マージナル孔１３ｂ側に長方形状に切り欠いた窓部１４を形成し、この窓部１４の天地方向の長さは、他の各票４，５，６，７の天地方向の長さよりも長く、また、幅方向の一縁のやや内側に前記各票４，５，６，７の反綴じ合わせ端が位置するよう形成されている。
【００１３】
図１に示すように、貼付票３ａの表面には、受付年月日記入欄１５、届け先記入欄１６、依頼人記入欄１７、品名記入欄１８、品名コード記入欄１９、数量記入欄２０、店番号記入欄２１、売場記入欄２２、取扱者名記入欄２３、個口数記入欄２４を設けるとともに、伝票番号２５とこの伝票番号をバーコードで表示したバーコード表示２６をあらかじめ印字している。
【００１４】
そして、貼付票３ａの下位に位置する配達票４、配送ターミナル控票５、中継ターミナル控票６、受領票７の表面にも（配達票４のみ図示、図４参照）、それぞれ上下に対応する位置に、受付年月日記入欄２７、届け先記入欄２８、依頼人記入欄２９、品名記入欄３０、品名コード記入欄３１、数量記入欄３２、店番号記入欄３３、売場記入欄３４、取扱者名記入欄３５、個口数記入欄３６を設け、さらに、貼付票３ａの窓部１４に対応する位置に、単価記入欄３７、金額記入欄３８、送料記入欄３９、金額合計記入欄４０という配送受取人に不要な配送関連情報記入欄を設け、また、伝票番号４１とこの伝票番号をバーコードで表示したバーコード表示４２をあらかじめ印字している。これら各記入欄２７〜４０をＯＣＲ用のノンリードインキで設けておくと、記入された配送情報をＯＣＲ装置で読み取り処理することができ、好適である。なお、図示してはいないが、受領票７には受領印捺印欄が設けられている。
【００１５】
また、図示してはいないが、貼付票３ａの各記入欄１５〜２４及び配達票４の配送関連情報を記入する各記入欄３７〜４０に記入した情報を、下位の配達票４、配送ターミナル控票５、中継ターミナル控票６、受領票７の対応する各記入欄に複写記入するために、複写構造が設けられている。この複写構造は、複写記入すべき記入欄に対向するよう上位の配送票の裏面にカーボン層を設けたり、複写記入すべき記入欄の表面に自己発色剤層を設けたり、複写記入すべき記入欄の表面には呈色剤層を設ける一方、これと対向する上位の配送票の裏面には発色剤層を設ける等、適宜な複写構造から選択して採用すればよい。そして、届け先で受領印を受ける受領票７の単価記入欄、金額記入欄、送料記入欄、金額合計記入欄の配送関連情報記入欄については、複写記入がなされないよう減感処理を施しておくと好適である。
【００１６】
本実施例は以上のように構成したので、連続状態にある配送伝票１をマージナル孔１３ａ，１３ｂを利用してトラクタ装置（図示せず）で移送し、あらかじめ配送情報が入力されているコンピュータの出力装置であるプリンタ（図示せず）で、貼付票３ａの各記入欄１５〜２４と、窓部１４から露出する配達票４の各記入欄３７〜４０に印字記入すると、下位の配達票４の前記各記入欄３７〜４０を除いた各記入欄２７〜３６及びさらに下位の配送ターミナル控票５、中継ターミナル控票６、受領票７の対応する各記入欄に複写記入される。
【００１７】
この印字記入に際しては、配達票４、配送ターミナル控票５、中継ターミナル控票６、受領票７は、４周縁を綴じ合わせた封筒状の貼付票３の中に綴じ合わされているので、前記各票４，５，６，７の単価記入欄３７、金額記入欄３８、送料記入欄３９、金額合計記入欄４０を設けた部分が窓部１４に対応して露出する状態ではあるが、この露出部分は部分的であるから、全体的には前記各票４，５，６，７がばらつくことなく、円滑、確実な印字作業が可能である。
【００１８】
そして、配送情報が印字された配送伝票１は、マージナル孔１３ａ，１３ｂが設けられたマージナル部が除去されるとともに単位化された後、従来と同様に、剥離紙１１が剥離されて露出した粘着剤１０により、貼付台紙３ｂが配送品（図示せず）に貼着され、また、配達票４、配送ターミナル控票５、中継ターミナル控票６、受領票７が、配送作業の過程において適宜、切り用ミシン目９ａ，９ｂ，９ｃ，９ｄから切り取られて使用される（図４参照）。この切り取りは、前記各票４，５，６，７の反綴じ合わせ端部が、窓部１４に対応しているので、この窓部１４から容易に行うことができる。そして、配送品に貼付された貼付票３ａには金額に関連する情報である配送受取人に不要な配送関連情報の記入欄が存在しないので、届け先に配送品の価格や送料等の費用を知られることがない。
【００１９】
図５は、本発明の窓部に関する別の実施例を示すもので、本実施例の配送伝票５１が、上述した実施例と異なるのは、封筒体５３の貼付票５３ａに形成した窓部５２の幅方向の長さを短く形成し、上述した実施例と同一構成の配達票４、配送ターミナル控票５、中継ターミナル控票６、受領票７の各反綴じ合わせ端を、若干被覆し得るよう構成した点である。他の構成及び使用方法については、上述した実施例と同一であるからその説明は省略し、対応する構成要素に同一符号を付するに止める。この実施例によれば、印字時における前記各票４，５，６，７のばらつき防止効果がより一層向上する一方、被覆部分も若干であるから切り離した各票４，５，６，７を窓部５２から引き出すのも容易である。
【００２０】
なお、本発明は上述した各実施例に限定されるものではなく、例えば、貼付票３ａ，５３ａは貼付台紙３ｂ，５３ｂをともなう封筒体３，５３としてではなく、単独で構成し、その周縁に粘着剤を塗布するとともに、剥離紙で被覆しておき、この剥離紙を剥離して露出した粘着剤により、他の各票４，５，６，７をカバーするような状態で、配送品に貼着するよう構成してもよい。配送品に貼着するための粘着剤は、あらかじめ設けて剥離紙で被覆するほか、貼着時に塗布してもよく、通常の糊も使用可能である。また、配送伝票１，５１を構成する配送票は、貼付票３ａ，５３ａのほかは目的に応じて適宜選択されるもので、その数も５枚に限らない。例えば、受領票７と配達票４とを兼用することにより、貼付票３ａ，５３ａのほかは、ＯＣＲ読み取り用の中継ターミナル控票５と、同じくＯＣＲ読み取り用の受領票７だけにし、これら各票５，７の上に複写用の片面カーボン紙を分離可能に綴じ合わせて、複写記入可能に構成してもよく、この場合には、貼付票３ａ，５３ａの窓部１４，５２には片面カーボン紙の裏面が露出する状態となる。
【００２１】
さらに、配送票における記入欄の種類や数、あるいは配置位置も上述したものに限定されず、貼付票３ａ，５３ａに配送関連情報記入欄が存在せず、その窓部１４，５２に下位の配送票の配送関連情報記入欄が対応位置している限り、いかなる構成でもよいものである。またさらに、配送伝票１，５１の材質は、印字適性を有し、複写記入が可能であればよく、通常の紙のほか、合成紙、樹脂フィルム等適宜選択して使用可能であって、印字適性が劣る材質の場合にはマット処理等を施して、印字適性を確保すればよいものである。また、配送伝票１，５１は連続状態ではなく、当初から単位状態にあってもよい。
【００２２】
【発明の効果】
以上説明したところで明らかなように、本発明によれば、上位に位置する貼付票の配送情報記入欄における配送品の価格や送料等の配送受取人に不要な配送関連情報を記入するための配送関連情報記入欄に対応する部分を切り欠いて窓部を形成したので、配送情報のうち、前記配送関連情報は、前記窓部に対応位置する貼付票の下位に重ねられた配送票の配送関連情報記入欄に印字され、この印字作業は各配送票がばらつくことがないので、前記貼付票に対する他の配送情報の印字とともに、円滑かつ確実に行うことができ、印字情報は下位の各配送票に複写記入されて、必要な配送情報を印字した配送伝票を得ることができるほか、配送関連情報の内容は窓部から直接確認でき、また、貼付票には配送関連情報が記入されていないので、貼付票を貼着した配送品を受け取った届け先では、配送品の価格や送料等を知ることができず、特に贈答品の配送に好適であるという効果を奏する。
【図面の簡単な説明】
【図１】配送伝票の概略的な平面図。
【図２】図１のＡ−Ａ線端面図。
【図３】図１のＢ−Ｂ線端面図。
【図４】印字後に切り離した配達票の概略的な平面図。
【図５】他の実施例を示す配送伝票の概略的な平面図。
【符号の説明】
１，５１      配送伝票
２ａ，２ｂ，２ｃ，２ｄ      糊
３ａ，５３ａ      貼付票
３ｂ      貼付台紙
３，５３      封筒体
４      配達票
５      配送ターミナル控票
６      中継ターミナル控票
７      受領票
８ａ，８ｂ，８ｃ，８ｄ      糊
９ａ，９ｂ，９ｃ，９ｄ      切り用ミシン目
１０      粘着剤
１１      剥離紙
１４，５１      窓部
１６，２８      届け先記入欄
１７，２９      依頼人記入欄
１８，３０      品名記入欄
３７      単価記入欄
３８      金額記入欄
３９      送料記入欄
４０      金額合計記入欄
【図１】
0003579089.tif 000002
【図２】
0003579089.tif 000003
【図３】
0003579089.tif 000004
【図４】
0003579089.tif 000005
【図５】
0003579089.tif 000006